(57)【要約】【課題】表示媒体と書込装置との間に電極の位置ずれが生じてもデータを正常に送信できるようにした画像書込装置及び画像表示システムを提供する。【解決手段】書込装置はアドレス接続部２７を有し、複数のアドレス電極２７１は、電気的に画像の書き換えが可能なシート状表示媒体の複数の列電極１６２に接続されるが、アドレス電極２７１は列電極１６２の幅Ｌｅに比べて幅をＬｄに広くしてある。同様に、シート状表示媒体の行電極に対応させて、データ接続部が設けられている。具体的には、アドレス電極２７１の幅をＬｄ、隣接間のスペースをＳｄ、列電極１６２の幅をＬｅ、列電極１６２のピッチをＰｅとするとき、Ｓｄ＞Ｌｅ及びＬｄ＞Ｐｅに設定する。【選択図】図５
2008083380.tif 000002
【特許請求の範囲】
【請求項１】
表示媒体の複数の行電極及び複数の列電極に対して電気的な接続を行うと共に、前記行電極及び前記列電極の幅に比べて幅広な複数のデータ用電極及び複数のアドレス用電極を備えた接続部と、
前記データ用電極及びアドレス用電極のそれぞれに信号を出力する制御部と、
を有することを特徴とする画像書込装置。
【請求項２】
前記データ用電極及びアドレス用電極は、幅をＬｄ、隣接間のスペースをＳｄ、前記行電極及び列電極の幅をＬｅ、前記行電極及び列電極のピッチをＰｅとするとき、Ｓｄ＞Ｌｅ及びＬｄ＞Ｐｅに設定することを特徴とする請求項１に記載の画像書込装置。
【請求項３】
前記データ用電極及びアドレス用電極は、（Ｌｄ＋Ｓｄ）＝ｎＰｅ（ｎは２以上の整数）であることを特徴とする請求項２に記載の画像書込装置。
【請求項４】
前記接続部は、リセット時に前記複数のデータ用電極及び前記複数のアドレス用電極のそれぞれを短絡接続するリセット電極を備えることを特徴とする請求項１に記載の画像書込装置。
【請求項５】
前記リセット電極は、リセット時に前記データ用電極及び前記アドレス用電極に接触し、リセット時以外は退避していることを特徴とする請求項４に記載の画像書込装置。
【請求項６】
前記データ用電極及びアドレス用電極は、リセット時に隣接間を短絡接続するリセット電極を兼ねることを特徴とする請求項１に記載の画像書込装置。
【請求項７】
前記制御部は、前記画像表示装置の接続時に、消去モード及び手書きモードの内のいずれかを実行する機能を備えることを特徴とする請求項１に記載の画像書込装置。
【請求項８】
前記制御部は、前記画像表示装置の接続解除時に、消去モード及び保存モードの内のいずれかを実行する機能を備えることを特徴とする請求項１に記載の画像書込装置。
【請求項９】
前記接続部は、前記データ用電極に対するデータ接続部と、前記アドレス用電極に対するアドレス接続部に分離されていることを特徴とする請求項１に記載の画像書込装置。
【請求項１０】
前記接続部は、前記データ用電極に対するデータ接続部と、前記アドレス用電極に対するアドレス接続部とが一体化されていることを特徴とする請求項１に記載の画像書込装置。
【請求項１１】
表示媒体の複数の行電極及び複数の列電極に対して電気的な接続を行うと共に、前記行電極及び前記列電極の幅に比べて幅広な複数のデータ用電極及び複数のアドレス用電極を備えた接続部と、前記データ用電極及びアドレス用電極のそれぞれに信号を出力する制御部とを備えた書込装置と、
表示媒体と、前記画像の書き込み時に接続される前記データ用電極あるいは前記アドレス用電極のそれぞれの１つの電極に対して、最小で２つの前記行電極あるいは前記列電極が接触するように設定された複数の電極を備えた接続部とを備えた画像表示装置と、
を有することを特徴とする画像表示システム。
【発明の詳細な説明】
【技術分野】
【０００１】
本発明は、表示媒体に画像を書き込む画像書込装置及び画像表示システムに関する。
【背景技術】
【０００２】
近年、持ち運びが可能な表示媒体に電子的に画像や文字を記憶させて、ペーパと同様に用いることができ、かつ記憶／消去が何度も行える電子ペーパが注目されている。このような電子ペーパは、書込方式にかかわらず、画像等を書き込む際、書込装置や制御装置と表示媒体とをケーブル及びコネクタ等により電気的に接続している。
【０００３】
表示媒体を書き込み装置に接続する場合、接続の信頼性や操作性などを確保するために、接続部の信号線数をできるだけ少なくするのが望ましい。
【０００４】
信号線数を少なくできる構成が、特許文献１に開示されており、この表示装置は、書込装置としての書き込み機の接続部の電極数に対し、表示媒体としての表示体の接続部の電極数を少なくして接続を容易にし、かつ、表示体を複数のブロックに分割し、ブロック単位で表示駆動するためのスイッチアレイを表示体に搭載して表示体上の搭載ＩＣを低減している。
【特許文献１】特開２０００−０５６７０５号公報
【発明の開示】
【発明が解決しようとする課題】
【０００５】
本発明の目的は、表示媒体と書込装置との間に電極の位置ずれが生じてもデータを正常に送信できるようにした画像書込装置、画像表示装置及び画像表示システムを提供する。
【課題を解決するための手段】
【０００６】
本発明の一態様は、上記目的を達成するため、以下の画像書込装置、画像表示装置及び画像表示システムを提供する。
【０００７】
［１］表示媒体の複数の行電極及び複数の列電極に対して電気的な接続を行うと共に、前記行電極及び前記列電極の幅に比べて幅広な複数のデータ用電極及び複数のアドレス用電極を備えた接続部と、前記データ用電極及びアドレス用電極のそれぞれに信号を出力する制御部と、を有することを特徴とする画像書込装置。
【０００８】
［２］前記データ用電極及びアドレス用電極は、幅をＬｄ、隣接間のスペースをＳｄ、前記行電極及び列電極の幅をＬｅ、前記行電極及び列電極のピッチをＰｅとするとき、Ｓｄ＞Ｌｅ及びＬｄ＞Ｐｅに設定することを特徴とする前記［１］に記載の画像書込装置。
【０００９】
［３］前記データ用電極及びアドレス用電極は、（Ｌｄ＋Ｓｄ）＝ｎＰｅ（ｎは２以上の整数）であることを特徴とする前記［２］に記載の画像書込装置。
【００１０】
［４］前記接続部は、リセット時に前記複数のデータ用電極及び前記複数のアドレス用電極のそれぞれを短絡接続するリセット電極を備えることを特徴とする前記［１］に記載の画像書込装置。
【００１１】
［５］前記リセット電極は、リセット時に前記データ用電極及び前記アドレス用電極に接触し、リセット時以外は退避していることを特徴とする前記［４］に記載の画像書込装置。
【００１２】
［６］前記データ用電極及びアドレス用電極は、リセット時に隣接間を短絡接続するリセット電極を兼ねることを特徴とする前記［１］に記載の画像書込装置。
【００１３】
［７］前記制御部は、前記画像表示装置の接続時に、消去モード及び手書きモードの内のいずれかを実行する機能を備えることを特徴とする前記［１］に記載の画像書込装置。
【００１４】
［８］前記制御部は、前記画像表示装置の接続解除時に、消去モード及び保存モードの内のいずれかを実行する機能を備えることを特徴とする前記［１］に記載の画像書込装置。
【００１５】
［９］前記接続部は、前記データ用電極に対するデータ接続部と、前記アドレス用電極に対するアドレス接続部に分離されていることを特徴とする前記［１］に記載の画像書込装置。
【００１６】
［１０］前記接続部は、前記データ用電極に対するデータ接続部と、前記アドレス用電極に対するアドレス接続部とが一体化されていることを特徴とする前記［１］に記載の画像書込装置。
【００１７】
［１１］表示媒体の複数の行電極及び複数の列電極に対して電気的な接続を行うと共に、前記行電極及び前記列電極の幅に比べて幅広な複数のデータ用電極及び複数のアドレス用電極を備えた接続部と、前記データ用電極及びアドレス用電極のそれぞれに信号を出力する制御部とを備えた書込装置と、表示媒体と、前記画像の書き込み時に接続される前記データ用電極あるいは前記アドレス用電極のそれぞれの１つの電極に対して、最小で２つの前記行電極あるいは前記列電極が接触するように設定された複数の電極を備えた接続部とを備えた画像表示装置と、を有することを特徴とする画像表示システム。
【発明の効果】
【００１８】
請求項１の画像書込装置によれば、接続部が画像表示装置側の接続部に対して位置ずれを生じても、画像表示装置側の接続部の電極間のショート発生の防止が可能になり、画像表示装置１と書込装置２の信号線に位置ずれが生じても、書込装置２から画像表示装置１へデータを正常に送信することができることにより、データ送信の信頼性を高めることができる。
【００１９】
請求項２，３の画像書込装置によれば、画像表示装置側の接続部の電極間にショートを発生させない最適な条件を設定できる。また、複数の電極を接続できることにより表示できる面積を大きくする（開口率を上げる）ことができる。
【００２０】
請求項４，５，６の画像書込装置によれば、画像表示装置上のデータを消去し、情報漏洩を防止することができる。
【００２１】
請求項７，８の画像書込装置によれば、画像表示装置の接続時や接続解除時に最適なモードを選択して処理することが可能になる。
【００２２】
請求項９の画像書込装置によれば、画像表示装置のサイズが異なる場合にも対応することができる。
【００２３】
請求項１０の画像書込装置によれば、接続部の装着を一度で済ますことができる。
【００２４】
請求項１１の画像表示システムによれば、書込装置の接続部と画像表示装置の接続部との間の電極間に位置ずれが生じても、画像表示装置側の接続部の電極間のショート発生の防止が可能になり、書込装置から画像表示装置へのデータ送信の信頼性を高めることができる。
【発明を実施するための最良の形態】
【００２５】
［第１の実施の形態］
（画像表示システムの構成）
図１は、本発明の第１の実施の形態に係る画像表示システムを示す。この画像表示システム１０は、画像表示装置１と、画像表示装置１に情報の書き込みを行う書込装置２を備えて構成されている。
【００２６】
（画像表示装置の構成）
画像表示装置１は、駆動回路が書込装置２側に設けられたパッシブ型であり、それぞれが負に帯電した白色粒子群および正に帯電した黒色粒子群が封入された複数のセル１４を縦横に配列し、セル１４毎に画素が形成されるようにしたトナー方式のシート状表示媒体１１と、複数の行電極に接続されたデータ接続部１２と、複数の列電極に接続されたアドレス接続部１３とを備えて構成されている。
【００２７】
（書込装置の構成）
書込装置２は、シート状表示媒体１１に書き込む画像データを記憶している画像記憶部２１と、画像記憶部２１に記憶されている画像データに基づいて表示駆動用データを生成する制御部２２と、画像表示装置１に供給する電源を生成する電源回路２３と、シート状表示媒体１１の行電極を駆動する行電極駆動回路２４と、シート状表示媒体１１の列電極を駆動する列電極駆動回路２５と、行電極駆動回路２４と接続部１２とを接続するデータ接続部２６と、列電極駆動回路２５と画像表示装置１のアドレス接続部１３とを接続するアドレス接続部２７と、シート状表示媒体１１上のデータを消去するリセット電極２９が接続されたリセット回路２８と、を備えて構成されている。アドレス接続部２７及びデータ接続部２６は、書込装置２から分離したユニットに構成されており、ケーブルを介して書込装置２に接続されている。
【００２８】
アドレス接続部１３とアドレス接続部２７、及びデータ接続部２６とデータ接続部２６１２の着脱は、書込装置２から所定範囲内に置かれた画像表示装置１に接続でき、かつ、手を離しても画像表示装置１側のロック機構に係着される係着部材（例えば、一対のピン）をデータ接続部２６及びアドレス接続部２７側に設け、上記一対のピンが挿抜される２つの孔、及び該孔を貫通した上記一対のピンの先端を挟持する楔状またはＵ字状のロック部材をデータ接続部１２及びアドレス接続部１３側に設けてロック機構を設けることにより行っている。
【００２９】
画像記憶部２１は、半導体メモリ、ハードディスク（ＨＤ）等により構成されている。画像記憶部２１は、ＣＤ−ＲＯＭや書換え可能なフラッシュメモリ等の記録媒体、あるいはＬＡＮ（Local Area Network）等のネットワークを介して画像データを入力してもよい。
【００３０】
制御部２２は、ＣＰＵ，ＲＯＭ，ＲＡＭ、タイミング信号発生回路等を備えて構成されている。ＣＰＵは、ＲＯＭに格納された制御プログラムに従って行電極駆動回路２４及び列電極駆動回路２５を制御し、画像記憶部２１からの画像データに基づいて行電極１７２及び列電極１６２に電圧を印加するようになっている。
【００３１】
また、制御部２２は、画像表示装置１に対して、データに基づいてシート状表示媒体１１に画像を書き込む書込モード、手書き用ペンにより文字等を書き込むための手書きモード、及びシート状表示媒体１１に書き込まれているデータを消去するための消去モードを設定することができるように構成されている。
【００３２】
電源回路２３は、初期化を行うときは、第１の交番電圧（例えば、２００Ｈｚ〜１０ｋＨｚ、±２００Ｖ）を発生し、画像表示装置１の背面基板の色表示を行うときは、第２の交番電圧（例えば、２００Ｈｚ、±２００Ｖ）を発生し、白色粒子および黒色粒子による色表示を行うときは、直流電圧を発生する回路である。
【００３３】
第１の交番電圧は、全画素に印加して白色粒子群を一方の基板側に、黒色粒子群を他方の基板側に付着させるために用いられる。第２の交番電圧は、背面基板の着色層の色を表示したい画素に印加し、その画素に存在する粒子を周辺の画素に移動させるために用いられる。直流電圧は、例えば、＋２００Ｖ又は−２００Ｖを印加して白色粒子と黒色粒子を用いて２色表示を行う際に用いられる。
【００３４】
行電極駆動回路２４は、制御部２２からの信号に基づいて指定の行電極に電源回路２３から供給された電圧を印加する回路である。
【００３５】
列電極駆動回路２５は、制御部２２からの信号に基づいて指定の列電極に電源回路２３から供給された電圧を印加する回路である。
【００３６】
（シート状表示媒体の構成）
図２は、シート状表示媒体を示す。シート状表示媒体１１は、透光性を有する表面基板１６と、背面基板１７と、表面基板１６と背面基板１７とを対向させて保持するとともに、基板１６，１７間の空間を基板１６，１７に平行な方向に仕切って複数のセル１４を形成する熱硬化性樹脂、熱可塑性樹脂、電子線硬化樹脂、光硬化性樹脂、ゴム等の絶縁性材料からなる仕切り部材１８と、セル１４に封入された帯電特性が異なる白色粒子１９Ａおよび黒色粒子１９Ｂからなる２つの粒子群とを有して構成され、仕切り部材１８の先端面と表面基板１６とは、図２に示すように、接着層２０により接合している。
【００３７】
表面基板１６は、透明ガラス基板等からなる表面基板部材１６１と、表面基板部材１６１上に形成されたインジウム錫酸化物（ＩＴＯ）等からなる透明な複数の帯状の列電極１６２と、列電極１６２を保護するとともに粒子１９Ａ，１９Ｂの帯電特性を安定化させるポリカーボネート等からなる誘電体膜１６３とを積層して構成されている。
【００３８】
背面基板１７は、エポキシ樹脂等からなる背面基板部材１７１と、背面基板部材１７１上に形成された銅等からなる複数の帯状の行電極１７２と、行電極１７２を保護するとともに粒子１９Ａ，１９Ｂの帯電特性を安定化させるポリカーボネート等からなる誘電体膜１７３とを積層して構成されている。
【００３９】
（接続部の構成）
図３は、接続部の構成を示す。
アドレス接続部２７は、電源用電極を含む複数のアドレス電極２７１が列電極１６２の配列方向に所定間隔に設けられており、更に、複数のアドレス電極２７１に隣接させてリセット電極２９を構成する１本のバー状のリセット電極２９１が設けられている。後述するが、複数のアドレス電極２７１は一体に厚み方向に移動でき、また、リセット電極２９１もアドレス電極２７１とは別個に厚み方向に移動できるように構成されている。
【００４０】
また、データ接続部２６は、電源用電極を含む複数のデータ電極２６１が行電極１７２の配列方向に所定間隔に設けられており、更に、複数のデータ電極２６１に隣接させてリセット電極２９を構成する１本のバー状のリセット電極２９２が設けられている。後述するが、複数のデータ電極２６１は一体に厚み方向に移動でき、また、リセット電極２９２もデータ電極２６１とは別個に厚み方向に移動できるように構成されている。
【００４１】
図４は、接続部の他の構成例を示す。この接続部３０は、図３において、データ接続部２６とアドレス接続部２７を一体化したものであり、その他の構成は第１の実施の形態と同様である。
【００４２】
（アドレス接続部の電極配置）
図５は、書込装置及び画像表示装置のアドレス接続部の電極配置を示す。また、図６は、アドレス電極にピッチずれが生じている場合の電極配置を示す。
【００４３】
アドレス接続部２７のアドレス電極２７１の１つに対して、アドレス接続部１３では２つの列電極１６２が対応する。つまり、アドレス接続部１３の列電極は、従来の１本を２分割した構成になっている。
【００４４】
図５はＳｄ＞Ｌｅ、且つ、Ｌｄ＞Ｐｅで（Ｌｄ＋Ｓｄ）＝ｎＰｅ，n＝２の場合を示している。図５の（ａ）は、１つのアドレス電極２７１同士が１つの列電極１６２の全幅と隣接する列電極１６２の一部に接触した場合を示し、（ｂ）は隣接する２つの列電極１６２の双方の一部に１つのアドレス電極２７１が接触した場合を示し、（ｃ）は１つのアドレス電極２７１が１つの列電極１６２にのみ接触した場合を示している。（ｃ）のケースは特異であり、１つのアドレス用電極に複数の列電極が接続できないケースである．よってｎは望ましくは３以上がよい．そうすることにより1つのアドレス用電極に複数の列電極を接続することが可能となる。
【００４５】
ここで、隣接するアドレス電極２７１が列電極１６２を通して短絡しないようにするためには、書込装置２のアドレス電極２７１の幅をＬｄ、アドレス電極２７１の隣接間のスペースをＳｄ、列電極１６２の幅をＬｅ、列電極１６２のピッチをＰｅとするとき、
Ｓｄ＞Ｌｅ、且つ、Ｌｄ＞Ｐｅ
望ましくは、（Ｌｄ＋Ｓｄ）＝ｎＰｅ、（ｎは２以上の整数，望ましくは３以上）の関係を満たすように設定する。Ｓｄ＞Ｌｅとすることで，行電極あるいは列電極がアドレス用電極間あるいはデータ用電極間にてブリッジしてしまうことを防ぎ、Ｌｄ＞Ｐｅとすることで，アドレス用電極あるいはデータ用電極に複数の列電極あるいは行電極が接続することを可能にする構成になっている。
また、（Ｌｄ＋Ｓｄ）＝ｎＰｅ  ｎは整数で２以上、望ましくは３以上にすることにより、アドレス用電極あるいはデータ用電極に対して列電極あるいは行電極のピッチずれを防いだ構成になっている。
【００４６】
また、図６の構成においては、書込装置２のアドレス電極２７１の幅をＬｄ、アドレス電極２７１の隣接間のスペースをＳｄ、列電極１６２の幅をＬｅ、列電極１６２のピッチをＰｅとするとき、Ｓｄ＞Ｌｅ、Ｌｄ＞Ｐｅ、及び（Ｌｄ＋Ｓｄ）＝ｎＰｅ（但し、ｎ≠整数）となる。
【００４７】
なお、図５及び図６は、アドレス接続部２７とアドレス接続部１３の組み合わせについてであるが、データ接続部２６とデータ接続部１２の組み合わせについても同様であり、上記各定義の対象はデータ電極２６１となる。
【００４８】
（アドレス電極とリセット電極の配置）
図７は、アドレス電極とリセット電極の配置例を示し、同図中、（ａ）は平面図、（ｂ）は（ａ）のＡ−Ａ線断面図である。図７の（ａ）に示すように、アドレス接続部２７は、１本のリセット電極２９１がｎ本の列電極１６２に直交し、且つ、複数のアドレス電極２７１に平行するように配設されている。更に、アドレス接続部２７及びリセット電極２９１は、図７の（ｂ），（ｃ）に示すように、シート状表示媒体１１の平面に対して交互に高さｈの昇降が可能に配置されている。
【００４９】
また、アドレス電極２７１が列電極１６２に接触するとき、図７の（ｃ）に示すように、リセット電極２９１は列電極１６２から離間し、リセット電極２９１と列電極１６２は非接触状態にある。リセット電極２９１及びアドレス電極２７１の昇降駆動は、例えば、図示しないモータ或いはソレノイドを駆動源として行われる。
【００５０】
なお、図７の構成は、アドレス接続部２７についてであるが、データ接続部２６も同様に構成されている。
【００５１】
（画像表示システムの動作）
図８は、第１の実施の形態に係る画像表示システムの処理を示す。ここでは、画像表示装置１にデータ接続部２６及びアドレス接続部２７を装着時の処理を示している。シート状表示媒体１１に画像を書き込む場合、ユーザーは、シート状表示媒体１１を所定の位置にセットし、データ接続部２６及びアドレス接続部２７をシート状表示媒体１１に接続した後、書込装置の電源をオンにする（Ｓ１０１）。
【００５２】
Ｓｄ＞Ｌｅとすることで，行電極あるいは列電極がデータ用電極間あるいはアドレス用電極間にてブリッジしてしまうことを防ぐことができる。
【００５３】
更に、図６に示すように、アドレス電極２７１または列電極１６２にピッチずれが生じている場合でも、列電極１６２の相互間にショートを生じなることはない。これは、行電極側も同様である。
【００５４】
画像表示装置１の装着終了を、図示しないセンサの検知により制御部２２が判断し、或いはユーザーが装着終了をキー操作等により入力すると、制御部２２はデータ消去を行うか否かの問い合わせを図示しないディスプレイに表示する。そこで、ユーザーは、書込装置２に設けられている図示しないキーを操作して、画像表示装置１に記憶されているデータ消去の要否を選択する（Ｓ１０２）。
【００５５】
例えば、ユーザーが「消去モード」を選択した場合（Ｓ１０２：Ｙｅｓ）、制御部２２はリセット回路２８を動作させるとともに、図３に示すリセット電極２９１，２９２を各列電極１６２及び各行電極１７２に接触させ、データ消去を開始する（Ｓ１０３）。なお、ユーザーが「消去モード」を選択しなかった場合（Ｓ１０２：Ｎｏ）、処理は、Ｓ１０４へ移行する。
【００５６】
上記ステップＳ１０３によるデータ消去が終了すると、制御部２２は書き込みをするか否かのメッセージを書込装置２のディスプレイ（図示せず）に表示するなどしてユーザーに確認させる（Ｓ１０４）。メッセージを見たユーザーが、キーを操作するなどして「書込モード」を選択すると（Ｓ１０４：Ｙｅｓ）、制御部２２は、図７の（ｃ）のように、各アドレス電極２７１を降下させて各列電極１６２に接触させ、同様にデータ電極をデータ接続部１２の行電極１７２に接触させる。
【００５７】
制御部２２は、画像記憶部２１からデータを読み出すと共に電源回路２３から電源を供給して行電極１７２及び列電極１６２を動作させ、シート状表示媒体１１へのデータ書き込みを開始する（Ｓ１０５）。なお、上記ステップＳ１０４において、所定時間が経過しても「書込モード」が選択されなかった場合（Ｓ１０４：Ｎｏ）、処理を終了する。
【００５８】
白色粒子１９Ａと黒色粒子１９Ｂにより２色表示を行う場合、制御部２２は、画像記憶部２１に記憶された画像データに基づいて、電源回路２３を制御して直流電圧を発生させるとともに、行電極駆動回路２４にタイミング信号とデータ信号を出力し、列電極駆動回路２５にタイミング信号とアドレス信号を出力する。行電極駆動回路２４は、制御部２２からの信号に基づいて、データ接続部２６，１２を介して行電極１７２に順次電圧を印加する。
【００５９】
また、列電極駆動回路２５は、制御部２２からの信号に基づいて、行電極１７２への電圧印加に同期させてアドレス情報に応じた正又は負の電圧を対応する列電極１６２に所定時間印加する。これにより、シート状表示媒体１１に画像が形成される。その表示内容は、電源を切っても保持される。
【００６０】
（画像表示装置を書込装置から取り外す際の処理）
図９は、画像表示装置を書込装置から取り外す際の処理を示す。ユーザーは、図示しない操作部等を操作して、図示しないディスプレイにモード表示を行わせる。表示を見たユーザーは、キーを操作するなどして「データ保存」又は「データ消去」を選択する（Ｓ２０１）。
【００６１】
例えば、「データ保存」が選択された場合（Ｓ２０１：データ保存）、シート状表示媒体１１上のデータは消去されず、表示内容を保持したままになる。即ち、画像表示装置１の表示面には、紙面に印字したのと同様に画像が残されている。この状態で、ユーザーは、書込装置２の各接続部からデータ接続部１２，２６の接続を外し、画像表示装置１を書込装置２から取り出せば（Ｓ２０２）、処理は完了する。
【００６２】
一方、上記ステップＳ２０１で「データ消去」が選択された場合、制御部２２はリセット回路２８を駆動し、アドレス電極２７１及びデータ電極２６１に代えて、図７の（ｂ）に示すように、リセット電極２９１，２９２を降下させ、列電極１６２及び行電極１７２のそれぞれに接触させ、列電極１６２及び行電極１７２に所定の電圧を印可してデータを消去する（Ｓ２０３）。この消去により、画像表示装置１の画面は、白一色または黒一色になる。ついで、ユーザーにより、書込装置２から画像表示装置１を取り外せば（Ｓ２０４）、処理は完了する。
【００６３】
［第２の実施の形態］
図１０は、本発明の第２の実施の形態に係る画像表示システムの接続部の電極配置を示す。また、図１１は、アドレス電極２７１にピッチずれが生じている場合の電極配置を示す。
【００６４】
本実施の形態は、図５に示した第１の実施の形態において、アドレス電極２７１の１つに対する列電極１６２の本数を増加させたものであり、その他の構成は第１の実施の形態と同様である。
【００６５】
本実施の形態は、図１０の（ａ）に示すように、１つのアドレス電極２７１に対し、５つの列電極１６２を対応させ、或いは、図１０の（ｂ）に示すように、１つのアドレス電極２７１に対し、４つの列電極１６２を対応させたものである。
【００６６】
本実施の形態では、書込装置２のアドレス電極２７１の幅をＬｄ、アドレス電極２７１の隣接間のスペースをＳｄ、列電極１６２の幅をＬｅ、列電極１６２のピッチをＰｅとするとき、Ｓｄ＞Ｌｅ、Ｌｄ＞Ｐｅ、及び（Ｌｄ＋Ｓｄ）＝６Ｐｅを満たすように設定する。
【００６７】
また、図１１の構成においては、書込装置２のアドレス電極２７１の幅をＬｄ、アドレス電極２７１の隣接間のスペースをＳｄ、列電極１６２の幅をＬｅ、列電極１６２のピッチをＰｅとするとき、Ｓｄ＞Ｌｅ、Ｌｄ＞Ｐｅ、及び（Ｌｄ＋Ｓｄ）＝ｎＰｅ（但し、ｎ≠整数）となる。
【００６８】
図１０の（ａ）の構成によれば、アドレス電極２７１の隣接間のスペースＳｄの間にアドレス電極２７１に接触しない列電極１６２が常に１つ存在し、アドレス電極２７１間のショートは生じにくくなる。
【００６９】
また、図１０の（ｂ）の構成によれば、アドレス電極２７１の隣接間のスペースＳｄの間にアドレス電極２７１に接触しない列電極１６２が常に２つ存在するので、図１０の（ａ）の構成に比べ、更に、アドレス電極２７１間のショートは生じ難くなる。
【００７０】
更に、図１０の（ａ），（ｂ）の状態が同時に生じても、図１１に示すように、アドレス電極２７１同士の間には、必ず１つまたは２つの列電極１６２が存在するので、アドレス電極２７１間にショートは生じない。
【００７１】
［第３の実施の形態］
図１２は、本発明の第３の実施の形態に係る画像表示システムを示す。
画像表示装置１には、書込装置２の本体２ａにケーブル２０１，２０２によって接続されたアドレス接続部２７及びデータ接続部２６が装着されている。更に、画像表示装置１は、手書き用ペン８０を用いて手書き入力が行えるように構成されている。なお、書込装置２内部の構成は、図１に示した第１の実施の形態と同様である。
【００７２】
手書き用ペン８０は、例えば、ペン型を成し、先端部には、赤外線を発生する赤外線送信部８５及び超音波を発生する超音波送信部８６が内蔵されている。
【００７３】
データ接続部２６は、上記した複数のデータ電極２６１及びリセット電極２９２を有している。
【００７４】
アドレス接続部２７は、上記した複数のアドレス電極２７１及びリセット電極２９１を有すると共に、手書き位置検出部８４がコーナ部に設けられている。
【００７５】
手書き位置検出部８４は、ユーザーによって操作される書込モード選択ボタン８１、手書きモード選択ボタン８２及び消去モード選択ボタン８３を備えると共に、手書き用ペン８０の赤外線送信部８５及び超音波送信部８６からの赤外線信号及び超音波信号を受信する赤外線受信部８７及び２つの超音波受信部８８Ａ，８８Ｂを備えている。各選択ボタン及び各受信部による信号は、ケーブル２０１を介して書込装置２へ送出される。
【００７６】
（画像表示システムの動作）
図１３は、第３の実施の形態に係る画像表示システムの処理を示す。ここでは、画像表示装置１にデータ接続部２６及びアドレス接続部２７を装着時の処理を示している。シート状表示媒体１１に画像を書き込む場合、ユーザーは、シート状表示媒体１１を所定の位置にセットし、図１２に示すようにデータ接続部２６及びアドレス接続部２７をシート状表示媒体１１に接続した後、書込装置の電源をオンにする（Ｓ１０１）。
【００７７】
画像表示装置１の装着終了を図示しないセンサの検知により制御部２２が判断し、或いはユーザーが装着終了をキー操作等により入力すると、制御部２２はモード内容を図示しないディスプレイに表示する。そこで、ユーザーは、画像表示装置１に記憶されているデータを消去する「消去モード」又は手書き用ペン８０による「手書きモード」を手書きモード選択ボタン８２又は消去モード選択ボタン８３を操作して選択する（Ｓ１０６）。
【００７８】
例えば、ユーザーが、消去モード選択ボタン８３により「消去モード」を選択した場合（Ｓ１０６：データ消去）、制御部２２はリセット回路２８を動作させるとともに、図１２に示すリセット電極２９１，２９２を各列電極１６２及び各行電極１７２に接触させ、データ消去を開始する（Ｓ１０３）。
【００７９】
データ消去が終了すると、制御部２２は書き込みをするか否かのメッセージを書込装置２のディスプレイ（図示せず）に表示するなどしてユーザーに確認させる（Ｓ１０４）。ユーザーが、図１２に示す書込モード選択ボタン８１を押して「書込モード」を選択すると（Ｓ１０４：Ｙｅｓ）、第１の実施の形態の図７で説明したように、各アドレス電極２７１が降下して各列電極１６２に接触する。同様に、データ電極もデータ接続部１２の行電極１７２に接触する。
【００８０】
制御部２２は、画像記憶部２１からデータを読み出すと共に電源回路２３から電源を供給して行電極１７２及び列電極１６２を動作させ、シート状表示媒体１１へのデータ書き込みを開始する（Ｓ１０５）。なお、上記ステップＳ１０４において、所定時間が経過しても「書込モード」が選択されなかった場合（Ｓ１０４：Ｎｏ）、処理を終了する。
【００８１】
制御部２２は、画像記憶部２１に記憶された画像データに基づいて、電源回路２３を制御して直流電圧を発生させるとともに、行電極駆動回路２４及び列電極駆動回路２５に書き込み用の信号を出力する。行電極駆動回路２４及び列電極駆動回路２５は、第１の実施の形態で説明したように制御部２２からの信号に基づいて行電極１７２及び列電極１６２に駆動信号を所定時間印加する。これにより、シート状表示媒体１１に画像が形成される。その表示内容は、電源を切っても保持される。
【００８２】
上記ステップＳ１０２において、ユーザーが、図１２に示す手書きモード選択ボタン８２を操作した場合、制御部２２は手書きモードを設定すると（Ｓ１０６：手書き）、手書き処理が開始する（Ｓ１０７）。ここで、ユーザーは、手書き用ペン８０の図示せぬ電源スイッチをオンにした後、手書き用ペン８０を手に持ち、その先端部をシート状表示媒体１１上に位置決めし、文字等を手書きする操作をする。
【００８３】
このとき、手書き用ペン８０の赤外線送信部８５から赤外線を所定の周期で送信するとともに、超音波送信部８６から赤外線の送信と同じ周期で超音波を送信する。赤外線は、赤外線受信部８７で受信され、超音波は、超音波受信部８８Ａ，８８Ｂで受信される。光の速さで伝搬する赤外線と音の速さで伝搬する超音波とでは、受信タイミングに差が生じる。従って、赤外線受信部８７が赤外線を受信してから、超音波受信部８８Ａ，８８Ｂがそれぞれ超音波を受信するまでの時間を測定することにより、超音波送信部８６から超音波受信部８８Ａ，８８Ｂまでの距離が分かり、これらと２つの超音波受信部８８Ａ，８８Ｂ間の距離とを用いて三角法の原理から超音波送信部８６の位置、すなわち、手書き用ペン８０の先端部の座標を求めることができる。
【００８４】
制御部２２は、手書き用ペン８０の先端部の座標を連続的に求めることにより、筆跡データを取得し、筆跡データに基づいてシート状表示媒体１１に画像を表示する。なお、設定された手書き可能範囲から外れた手書きの動作に対しては、制御部２２はデータ化を禁止する。
【００８５】
なお、画像表示装置を書込装置から取り外す際の処理は、第１の実施の形態で説明した図９と同じであるので、説明を省略する。この場合、データ消去は消去モード選択ボタン８３により行われ、データ保存は、図示せぬ操作部またはキーを用いて行われる。
【００８６】
［他の実施の形態］
なお、本発明は、上記各実施の形態に限定されず、本発明の技術思想を逸脱あるいは変更しない範囲内で種々な変形が可能である。例えば、電子ペーパはトナー方式に限定されるものではなく、書込装置２との接続が必要な画像表示装置に適用可能であり、他の電子ペーパとして、電気泳動方式、液晶表示方式等がある。また、表示媒体は、電子ペーパに限定されるものではなく、本体とディスプレイの接続を必要とする装置やシステムに本発明を適用可能である。また、手書き入力する方式は実施例記載の方式に限定されるものではなく、電磁誘導方式などの適応も可能である。
【図面の簡単な説明】
【００８７】
【図１】本発明の第１の実施の形態に係る画像表示システムを示すブロック図である。
【図２】図１のシート状表示媒体を示す断面図である。
【図３】接続部の構成を示す平面図である。
【図４】接続部の他の構成を示す平面図である。
【図５】書込装置及び画像表示装置のアドレス接続部の電極配置を示す平面図である。
【図６】アドレス電極接続部の電極配置の他の例を示す平面図である。
【図７】アドレス電極及びリセット電極の昇降駆動を示す説明図である。
【図８】本発明の第１の実施の形態に係る画像表示システムにおいて、書込装置の接続部を画像表示装置に装着した際の処理を示すフローチャートである。
【図９】本発明の第１の実施の形態に係る画像表示システムにおいて、画像表示装置を書込装置から取り外す際の処理を示すフローチャートである。
【図１０】本発明の第２の実施の形態に係る画像表示システムの接続部の電極配置を示す平面図である。
【図１１】本発明の第２の実施の形態に係るアドレス接続部の電極配置の他の例を示す平面図である。
【図１２】本発明の第３の実施の形態に係る画像表示システムを示す斜視図である。
【図１３】本発明の第３の実施の形態に係る画像表示システムの処理を示すフローチャートである。
【符号の説明】
【００８８】
１  画像表示装置
２  書込装置
２ａ  本体
１０  画像表示システム
１１  シート状表示媒体
１２  データ接続部
１２，２６  データ接続部
１３，２７  アドレス接続部
１４  セル
１６   表面基板
１７   背面基板
１８  仕切り部材
１９Ａ  白色粒子
１９Ｂ  黒色粒子
２０  接着層
２１  画像記憶部
２２  駆動制御部
２３  電源回路
２４  行電極駆動回路
２５  列電極駆動回路
２８  リセット回路
２９  リセット電極
３０  接続部
８０  手書き用ペン
８１  書込モード選択ボタン
８２  モード選択ボタン
８３  消去モード選択ボタン
８４  手書き位置検出部
８５  赤外線送信部
８６  超音波送信部
８７  赤外線受信部
８８Ａ，８８Ｂ  超音波受信部
１６１  表面基板部材
１６２  列電極
１６３，１７３  誘電体膜
１７１  背面基板部材
１７２  行電極
２０1，２０２  ケーブル
２６１  データ電極
２７１  アドレス電極
２９１，２９２  リセット電極
【図１】
2008083380.tif 000003
【図２】
2008083380.tif 000004
【図３】
2008083380.tif 000005
【図４】
2008083380.tif 000006
【図５】
2008083380.tif 000007
【図６】
2008083380.tif 000008
【図７】
2008083380.tif 000009
【図８】
2008083380.tif 000010
【図９】
2008083380.tif 000011
【図１０】
2008083380.tif 000012
【図１１】
2008083380.tif 000013
【図１２】
2008083380.tif 000014
【図１３】
2008083380.tif 000015